(57)【要約】【課題】ＤＳＡ方式の画像生成が可能な放射線撮影システムに対して、より簡便なシーケンス制御が可能な放射線システムを提供する。【解決手段】放射線による血管造影の制御装置は、撮影条件が設定された複数の血管造影手順のうち、第一の血管造影手順に関しての撮影条件を変更し、第一の血管造影と、造影剤の注入箇所及び血管造影の撮影部位の少なくとも一方が同一の、第二の血管造影手順を特定する。制御装置は、特定された第二の血管造影手順に関しての撮影条件を、第一の血管造影手順に関しての撮影条件の変更に応じて変更する。【選択図】図８
2015188692.tif 000002
【特許請求の範囲】
【請求項１】
放射線による血管造影の制御装置であって、
撮影条件が設定された複数の血管造影手順のうち、第一の血管造影手順に関しての撮影条件を変更する変更手段と、
前記複数の血管造影手順のうち、前記第一の血管造影と、造影剤の注入箇所及び血管造影の撮影部位の少なくとも一方が同一の、第二の血管造影手順を特定する特定手段と、を有し、
前記変更手段は、前記特定手段により特定された前記第二の血管造影手順に関しての撮影条件を、前記第一の血管造影手順に関しての撮影条件の変更に応じて変更することを特徴とする制御装置。
【請求項２】
前記複数の血管造影手順の各々は、前記造影剤注入の前に取得された放射線画像に基づいて生成されたマスク画像の保持、及び前記造影剤の注入を含み、
前記変更手段は、前記第一の血管造影及び前記第二の血管造影に関しての撮影条件として、前記第一の血管造影及び前記第二の血管造影それぞれについて、前記マスク画像を保持するタイミング、及び前記造影剤の注入を開始するタイミングの少なくともいずれかを変更することを特徴とする請求項１に記載の制御装置。
【請求項３】
前記放射線撮影システムは、前記第一の血管造影及び前記第二の血管造影それぞれについて、前記マスク画像を保持するタイミングを示す第２図形と、前記造影剤の注入を開始するタイミングを示す第３図形を時間軸に沿って表示部に表示し、
前記変更手段は前記第一の血管造影及び前記第二の血管造影それぞれについての前記第２図形及び前記第３図形の少なくともいずれかを前記時間軸に沿って移動させることを特徴とする請求項２に記載の制御装置。
【請求項４】
前記変更手段は、前記第一の血管造影についての前記第２図形を移動させることにより前記マスク画像を保持するタイミングを変更させ、該変更に係る変更量に基づいて前記第二の血管造影についての前記第２図形を移動させることを特徴とする請求項３に記載の制御装置。
【請求項５】
前記変更手段は、前記第二の血管造影についての前記第２図形を前記変更量と同じ量だけ移動させることを特徴とする請求項４に記載の制御装置。
【請求項６】
前記変更手段は、前記第一の血管造影についての前記第２図形を移動させることにより、該第２図形が前記第一の血管造影についての第３図形が示すタイミングよりも後になる場合、前記時間軸において該第２図形が該第３図形の前になるように、該第３図形も移動させることを特徴とする請求項４または５に記載の制御装置。
【請求項７】
前記変更手段は、前記第二の血管造影についての前記第２図形を移動させることにより、該第２図形が前記第二の血管造影についての第３図形が示すタイミングよりも後になる場合、前記時間軸において該第２図形が該第３図形の前となるように、該第３図形も移動させることを特徴とする請求項４乃至６のいずれか１項に記載の制御装置。
【請求項８】
前記変更手段は、前記第一の血管造影についての前記第３図形を移動させることにより、前記マスク画像を保持するタイミングを変更させ、該変更に係る変更量に基づいて前記第二の血管造影についての前記第３図形を移動させることを特徴とする請求項３に記載の制御装置。
【請求項９】
前記変更手段は、前記第二の血管造影についての前記第３図形を前記変更量と同じ量だけ移動させることを特徴とする請求項８に記載の制御装置。
【請求項１０】
前記放射線撮影システムは、放射線源による放射線の曝射が開始される第１のタイミングを示す第１図形を前記時間軸に沿って前記表示部に表示することを特徴とする請求項３乃至９のいずれか１項に記載の制御装置。
【請求項１１】
前記変更手段は、前記第一の血管造影及び前記第二の血管造影についての前記マスク画像を保持するタイミングまたは前記造影剤の注入を開始するタイミングを、それぞれのタイミングにおける血管造影に係る撮影のフレームレートが変更されない範囲で変更することを特徴とする請求項２乃至１０のいずれか１項に記載の制御装置。
【請求項１２】
前記第一の血管造影と、前記第二の血管造影とで、被検体に対し造影剤を注入してから撮影部位に到達するまでの時間が略同一であることを特徴とする請求項１乃至１１のいずれか１項に記載の制御装置。
【請求項１３】
前記第一の血管造影を行う被検体と前記第二の血管造影を行う被検体は同一であることを特徴とする請求項１乃至１２のいずれか１項に記載の制御装置。
【請求項１４】
放射線による血管造影の制御装置であって、
撮影条件が設定された複数の血管造影手順のうち、第一の血管造影手順に関しての撮影条件を変更する変更手段と、
前記複数の血管造影手順のうち、前記第一の血管造影と、造影剤を注入してから撮影部位に到達するまでの時間が略同一である第二の血管造影手順を特定する特定する特定手段と、を有し、
前記変更手段は、前記特定手段により特定された前記第二の血管造影手順に関しての撮影条件を、前記第一の血管造影手順に関しての撮影条件の変更に応じて変更することを特徴とする制御装置。
【請求項１５】
前記特定手段は、複数の血管造影手順の情報に関連付けられた情報に基づいて前記第二の血管造影手順を特定することを特徴とする請求項１４に記載の制御装置。
【請求項１６】
前記複数の血管造影手順は、同一の被検体に対する血管造影手順であることを特徴とする請求項１４または１５に記載の制御装置。
【請求項１７】
放射線による血管造影の制御方法であって、
撮影条件が設定された複数の血管造影手順のうち、第一の血管造影手順に関しての撮影条件を変更する変更工程と、
前記複数の血管造影手順のうち、前記第一の血管造影と、造影剤の注入箇所及び血管造影の撮影部位の少なくとも一方が同一の、第二の血管造影手順を特定する特定工程と、を有し、
前記変更工程では、前記特定工程において特定された前記第二の血管造影手順に関しての撮影条件を、前記第一の血管造影手順に関しての撮影条件の変更に応じて変更することを特徴とする制御方法。
【請求項１８】
請求項１乃至請求項１６のいずれか１項に記載の制御装置としてコンピュータを機能させることを特徴とするプログラム。
【請求項１９】
血管造影を行う放射線撮影システムであって、
撮影条件が設定された複数の血管造影手順のうち、第一の血管造影手順に関しての撮影条件を変更する変更手段と、
前記複数の血管造影手順のうち、前記第一の血管造影と、造影剤の注入箇所及び血管造影の撮影部位の少なくとも一方が同一の、第二の血管造影手順を特定する特定手段と、を有し、
前記変更手段は、前記特定手段により特定された前記第二の血管造影手順に関しての撮影条件を、前記第一の血管造影手順に関しての撮影条件の変更に応じて変更することを特徴とする放射線撮影システム。
【発明の詳細な説明】
【技術分野】
【０００１】
本発明は、通常の透視画像であるマスク画像と、造影剤が写し込まれた透視画像であるライブ画像とを用いてサブトラクション処理を行う放射線撮影システムの制御装置、制御方法及びプログラムに関する。
【背景技術】
【０００２】
従来の放射線撮影システム、特に、ＤＳＡ（デジタル・サブトラクション・アンギオグラフィ）撮影方式の画像生成が可能な放射線撮影システムとして、特許文献１が知られている。ここで、ＤＳＡ撮影方式とは、通常の透視画像であるマスク画像と、造影剤が写し込まれた透視画像であるライブ画像とを用いてサブトラクション処理を行う画像生成方式である。特許文献１では、任意の計算に基づいて生成されたタイムチャートを表示部に表示させることにより、撮影手順決定の容易化を図っている。より具体的には、所望の計算に基づいて決定された、マスク画像を取得するタイミングを示す図形や造影剤注入のタイミングを示す図形を表示部に表示された時間軸に対応して表示部に表示する。次に、マウスなどのポインティングデバイスを操作することにより、表示部を移動するマーカーが図形上に移動した際に、その図形に対してテンキーにより数値を入力してパラメータの設定値を変更できる。
【０００３】
また撮影条件設定方法の容易化として、特許文献２が知られている。特許文献２では、注入された造影剤を監視し、監視している造影剤の濃度からスキャン開始タイミングを最適化するリアルプレップ撮影方式において、設定されたリアルプレップ撮影条件設定項目を他リアルプレップ撮影条件にコピーすることで、撮影条件設定の容易化を図っている。より具体的には、まず、リアルプレップ撮影を行うために必要な造影剤の濃度を監視する関心領域や、造影剤の濃度の閾値などの設定項目を表示部に表示する。次に、表示部に表示されている複写ボタンを押下することで、設定項目として入力されている設定値を他のリアルプレップ撮影の設定値として複写する。
【先行技術文献】
【特許文献】
【０００４】
【特許文献１】特開平０６−１５４１９６号公報
【特許文献２】特開２００４−１７４０８８号公報
【発明の概要】
【発明が解決しようとする課題】
【０００５】
しかしながら従来の放射線撮影システムには次に述べる様な問題点がある。従来のＤＳＡ撮影方式を用いて検査を行う放射線撮影システムにおいて、検査中の撮影の中でマスク画像取得タイミングを変更した場合であっても、同じ検査の他の撮影のマスク画像取得タイミングは変更されていなかった。そのため、ユーザは他の撮影でもマスク画像取得タイミングを修正する必要があった。造影剤注入開始から実際に撮影部位に造影剤が到着する時間(造影剤到着時間)までに開きがあるが、その開きは患者の心拍出量に依る。例えば、１検査で２回同じ部位に対してＤＳＡ撮影を行う場合、患者の心拍出量はほぼ一定であるため、ユーザは１度目の撮影で造影剤到着時間を考慮してマスク画像取得タイミングを変更すると、２度目の撮影のマスク画像取得タイミングも同様に変更する。この場合、ユーザがマスク画像取得タイミングを変更した時には、他の撮影のマスク画像取得タイミングも同様に変更されることが好ましい。
【０００６】
しかし、変更されたマスク画像取得タイミングをそのまま他の撮影に複写した場合、撮影部位に合わせたマスク画像取得タイミングに差異が出るため好ましくない。部位によって血流速度が異なっているため、部位ごとに造影剤到着時間が異なる。例えば、１検査で前腕と頭部という撮影を行う場合、それぞれ造影剤到着時間も異なるため、マスク画像取得タイミングは部位ごとの造影剤到着時間を考慮して変更する必要がある。この場合、撮影時に変更したマスク画像取得タイミングを他の撮影に複写するのではなく、他の撮影の情報を考慮して補正されることが好ましい。
【０００７】
また、ＤＳＡ撮影方式では、例えば、全撮影時間のうち開始５秒間はフレームレート１０ｆｐｓで撮影を行い、その後１０秒間はフレームレート５ｆｐｓで撮影を行う、などといった構成で撮影を行うことがある。この様な構成で、マスク画像取得タイミングは決まったフレームレートのみで行いたいといった場合は、他の撮影のマスク画像取得タイミングを一律に補正するだけでなく、補正をどこまで行うかを考慮することが好ましい。
【０００８】
本発明は上記に鑑みてなされたものであり、ＤＳＡ方式の画像生成が可能な放射線撮影システムに対して、より簡便なシーケンス制御が可能な放射線システムを提供し、操作者の操作性を向上させることを目的とする。
【課題を解決するための手段】
【０００９】
本発明は、上記課題を解決するため、以下のような特徴を備えている。すなわち、放射線による血管造影の制御装置であって、撮影条件が設定された複数の血管造影手順のうち、第一の血管造影手順に関しての撮影条件を変更する変更手段と、前記複数の血管造影手順のうち、前記第一の血管造影と、造影剤の注入箇所及び血管造影の撮影部位の少なくとも一方が同一の、第二の血管造影手順を特定する特定手段と、を有し、前記変更手段は、前記特定手段により特定された前記第二の血管造影手順に関しての撮影条件を、前記第一の血管造影手順に関しての撮影条件の変更に応じて変更することを特徴とする。
【発明の効果】
【００１０】
本発明によれば、ＤＳＡ方式の画像生成が可能な放射線撮影システムに対して、検査を構成する撮影手技に付帯する撮影条件を変更した際、他の撮影手技に付帯する撮影条件を補正する事により、操作者の負担を軽減する。
【図面の簡単な説明】
【００１１】
【図１】放射線撮影システム全体の概略ブロック図。
【図２】第１実施形態による制御部の概略ブロック図。
【図３】第１実施形態における検査情報と撮影手技の構成例。
【図４】第１実施形態における撮影シーケンスの構成例。
【図５】第１実施形態における撮影シーケンスの管理例。
【図６】第１実施形態における撮影手技の管理例。
【図７】第１実施形態による表示部に示される画面例。
【図８】第１実施形態におけるシーケンスの例を説明するための図。
【図９】第１実施形態におけるシーケンスの例を説明するためのフローチャート。
【図１０】第２実施形態におけるシーケンスの例を説明するための図。
【図１１】第２実施形態におけるシーケンスの例を説明するためのフローチャート。
【発明を実施するための形態】
【００１２】
まず、図１を用いて放射線撮影システムの例を説明する。図１は、放射線撮影システム全体の概略ブロック図である。放射線撮影システムは、例えば被写体に対する血管造影を行う。放射線撮影システムは、放射線撮像装置１０９と、撮影制御装置１００、造影剤注入装置１０６と、放射線制御装置１０７と、放射線源１０８と、を含む。放射線撮像装置１０９は、放射線源１０８から曝射されて被検体（被検体）Ｈの所定の部位を透過した放射線に基づいて透視撮影画像を取得するためのものである。放射線撮像装置１０９としては、周知のフラットパネル型のＸ線検出器（Ｆｌａｔ Ｐａｎｅｌ Ｄｅｔｅｃｔｏｒ：ＦＰＤ）が好適に用いられ得る。ここで、透視撮影画像とは、放射線撮像装置１０９を用いた透視撮影によって連続して取得された複数の放射線画像に基づく画像である。造影剤注入装置１０６は、被検体Ｈの所定の部位（例えば検査対象の血管）への造影剤の注入を行うものである。放射線制御装置１０７は、放射線源１０８による放射線の曝射の制御を行うものである。撮影制御装置１００は、後述する操作部１０４の入力指示に基づいて、放射線撮像装置１０９、造影剤注入装置１０６、及び、放射線制御装置１０７の制御を行うものである。また、放射線撮像システムは、操作部１０４及び表示部１０５を含み得る。操作部１０４は、操作者（撮影技師や医師）からの入力に応じて放射線撮影システムにおける処理の操作を行うための操作情報を撮影制御装置１００へ供給し得る。表示部１０５は、放射線撮像装置１０９によって取得された透視撮影画像等の画像を操作者へ表示し得る出力手段であり、例えば液晶ディスプレイ等で実現される。また、表示部１０５は、放射線撮影システムのシーケンスの各タイミングを示す各種の図形を操作者へ向けて表示する。すなわち、表示部１０５は、放射線撮影のコントロールソフトウェアのグラフィカルユーザインタフェース（ＧＵＩ）を表示し得る。ここで、操作部１０４は、表示部１０５に表示された各種図形を、マウスやキーボード等の入力機器の操作によって画像操作を行うことにより、操作情報を撮影制御装置１００へ提供し得る。なお、操作部１０４及び表示部１０５は、それらが一体となったタッチパネル等で実現されても良い。
【００１３】
撮影制御装置１００は、入出力部１０２と、画像処理部１０３と、制御部１０１と、を含み得る。入出力部１０２は、放射線撮像装置１０９からの放射線画像の入力や、造影剤注入装置１０６や放射線制御装置１０７への制御信号の出力を担うものである。画像処理部１０３は、放射線撮像装置１０９からの放射線画像に対して、オフセット補正やゲイン補正や欠陥補正といった各種の補正処理や、階調変換やダイナミックレンジ圧縮処理といった各種画像処理を行うものである。制御部１０１は、操作部１０４からの操作情報に基づいて、各種制御のための制御信号を、入出力部１０２を介して、放射線撮像装置１０９、造影剤注入装置１０６、及び、放射線制御装置１０７へ出力し得るものである。
【００１４】
次に、図２を用いて制御部１０１を説明する。図２は、図１の制御部１０１の機能ブロックを説明するための概略ブロック図ある。制御部１０１は、記憶部２００と、入力検出部２０１と、演算部２０２と、表示制御部２０３と、注入装置制御部２０４と、タイミング補正部２０５と、撮影制御部２０６と、を含み得る。記憶部２００は、画像処理部１０３で画像処理された放射線画像を記憶し得る撮影画像記憶領域２０７を含む。また、記憶部２００は、表示部１０５に表示される各種アイコンや各種操作ボタンや各種表示領域といった、ＧＵＩとなる各種図形の情報やその表示位置の情報を記憶し得る画像操作情報記憶領域２０８を含む。また、記憶部２００は、操作部１０４で入力された情報のうち、患者情報や造影剤の情報や撮影部位といった、検査に関わる情報を記憶し得る検査情報記憶領域２０９を含む。入力検出部２０１は、操作部１０４で入力された操作情報を、演算部２０２に供給する。演算部２０２は、画像操作情報記憶領域２０８と検査情報記憶領域２０９に記憶された各種情報に基づいてＧＵＩを表示部１０５に表示させるように、表示制御部２０３に操作し得る。また、演算部２０２は、入力検出部２０１からの操作情報と、画像操作情報記憶領域２０８に記憶された各種情報と、検査情報記憶領域２０９に記憶された各種情報をタイミング補正部２０５に供給する。また、演算部２０２は、入力検出部２０１からの操作情報と、画像操作情報記憶領域２０８に記憶された各種情報と、タイミング補正部２０５の結果に基づいて、撮影制御に関する演算を行い、演算結果を撮影制御部２０６と表示制御部に供給する。タイミング補正部２０５は、供給された情報に基づき、検査情報記憶領域２０９に記憶された撮影に関するタイミング補正の演算を行い、演算部２０２に供給する。撮影制御部２０６は、演算部２０２の演算結果に基づいて、放射線撮像装置１０９の動作制御を行う。また、撮影制御部２０６は、演算部２０２の結果に基づいて、造影剤注入装置１０６の動作制御のための情報を注入装置制御部２０４に供給する。注入装置制御部２０４は、供給された情報に基づいて、造影剤注入装置１０６の動作制御を行う。
【００１５】
以上のように構成された放射線撮影システムでは、取得された透視撮影画像のうち、造影剤注入装置１０６によって所定の部位への造影剤の注入が行われる前に取得された放射線画像に基づいてマスク画像が生成され、演算部２０２によって記憶部２００に保持される。また、放射線撮影システムでは、演算部２０２は、透視撮影画像のうち造影剤の注入が行われた後に取得された放射線画像と、記憶部２００に保持されたマスク画像と、を用いて、差分処理を行い、差分画像を生成し得る。このような差分画像を生成し得る放射線撮像システムの撮影方式（画像生成方式）を、ＤＳＡ（デジタル・サブトラクション・アンギオグラフィ）方式と称する。制御部１０１は、複数の画像生成方式を選択的に実施させることが可能である。
【００１６】
次に、図３を用いて検査情報記憶領域２０９に記憶されている検査情報の一例を示す。検査情報３００は、撮影手技３０１から構成され得る。また検査情報３００は、複数の撮影手技から構成され得る。撮影手技３０１は、撮影などに使用される情報である撮影情報３０２を含む。撮影情報３０２は、撮影を行う部位情報である撮影部位３０３と、後述する撮影シーケンスの組み合わせを意味する撮影シーケンス順番３０４から構成され得る。また、撮影手技３０１は、撮影中にマスク画像を取得するタイミングの情報であるマスク画像取得タイミング３０５を含む。また、撮影手技３０１は、撮影中に造影剤を注入するタイミングの情報である造影剤注入タイミング３０６から構成され得る。また、撮影手技３０１の構成はこれに限定する必要はなく、患者情報や造影剤の種類や造影剤注入装置の情報や放射線制御装置の情報を含んでいても良い。
【００１７】
次に、図４を用いて撮影シーケンス順番３０４を構成する撮影シーケンスの一例を示す。撮影シーケンス４００は、透視撮影画像を取得する際のフレームレート情報であるフレームレート４０１と、フレームレート４０１のフレームレートで撮影を行う時間を意味する撮影時間４０２から構成され得る。
【００１８】
次に、図５を用いて放射線撮影システムの撮影シーケンス４００の管理方法の一例を示す。図５では、撮影シーケンスが複数管理されている事を示している。ＩＤ５００は、撮影シーケンスを識別するための情報（撮影シーケンスＩＤ）である。フレームレート５０１は、フレームレート４０１の情報に該当する。撮影時間５０２は、撮影時間４０２の情報に該当する。例えば、図５（Ａ）は、撮影シーケンスＩＤが１、フレームレートが５ｆｐｓ、フレームレート５ｆｐｓで透視撮影を行う時間が１０秒である撮影シーケンスを表している。また、図５（Ｂ）は、撮影シーケンスＩＤが２、フレームレートが０ｆｐｓ、フレームレート０ｆｐｓで透視撮影を行う時間が５秒である撮影シーケンスを表している。つまり図５（Ｂ）は、透視撮影を行わず５秒待機する撮影シーケンスを表している。
【００１９】
次に、図６を用いて放射線撮影システムの撮影手技の管理方法の一例を示す。図６では、撮影手技が複数管理されている事を示している。ＩＤ６００は、管理されている撮影手技を識別するための情報（撮影手技ＩＤ）である。撮影手技名６０１は、撮影手技の撮影手技名である。撮影部位６０２は、撮影部位３０３の情報に該当する。撮影シーケンス順番６０３は撮影シーケンス順番４０４の情報に該当する。ここでは、撮影シーケンス順番６０３は、ＩＤ５００を用いて撮影中に遷移する撮影シーケンスの順番を表現している。マスク画像取得タイミング６０４は、マスク画像取得タイミング３０５の情報に該当する。造影剤注入タイミング６０５は、造影剤注入タイミング３０６の情報に該当する。例えば、図６（Ａ）は、撮影手技ＩＤが１、撮影手技が手技Ａ、撮影部位が右前腕、撮影シーケンスＩＤが１、マスク画像取得タイミングが撮影開始２秒後、造影剤注入タイミングが撮影開始８秒後である撮影手技を表している。図６（Ａ）の撮影シーケンスを、対応する図５の撮影シーケンスＩＤ：１の情報を用いて説明すると、撮影時のフレームレートが５ｆｐｓで撮影時間が１０秒で透視撮影画像を取得することになる。また、図６（Ｂ）は、撮影手技ＩＤが２、撮影手技名が手技Ｂ、撮影部位が頭部、撮影シーケンスＩＤが３、４、マスク画像取得タイミングが撮影開始５秒後、造影剤注入タイミングが撮影開始１３秒後である撮影手技を表している。図６（Ｂ）の撮影シーケンスを、対応する図５の撮影シーケンスＩＤ：３、４の情報を用いて説明すると、撮影開始時はフレームレート１５ｆｐｓで２０秒間透視撮影画像を取得し、その後からはフレームレート２０ｆｐｓで７秒間透視撮影画像を取得することになる。
【００２０】
次に、図７を用いて放射線撮影システムのＧＵＩの一例を示す。図７は、透視画像取得中のＧＵＩを表す図である。撮影画面７００は、取得画像表示領域７０１と検査情報表示領域７０２から構成されている。取得画像表示領域７０１は、撮影中に取得された透視画像や、マスク画像と取得中の透視画像を用いて画像処理された画像などを表示する。検査情報表示領域７０２は、検査情報を構成する撮影手技の情報を表示する撮影手技情報表示領域７０３や、検査情報を表示している。撮影手技情報表示領域７０３は、後述する撮影手技の情報を表示している。
【００２１】
以上に説明した放射線撮影システムにおいて、本発明によるマスク画像取得タイミングの補正手法を、実施形態を用いて説明する。
【００２２】
（第１実施形態）
第１実施形態を、図８と図９を用いて説明する。図８は、本実施形態による検査情報表示領域７０２を説明する図であり、図９は、本実施形態の動作を示すフローチャートである。まず、図８について説明を行う。図８（Ａ）の検査情報表示領域８００はマスク画像取得タイミング変更前の検査情報表示領域７０２を表し、図８（Ｂ）の検査情報表示領域８００はマスク画像取得タイミング変更後の検査情報表示領域７０２を表している。図８（Ａ）と図８（Ｂ）の重複する番号は同じものであり、詳細な説明は省略する。
【００２３】
撮影手技情報表示領域８０１は撮影手技情報表示領域７０３と同等のものであり、検査情報を構成している撮影手技のうちの１つ目の情報を表示している。撮影手技情報表示領域８０２は、検査情報を構成している撮影手技のうちの２つ目の情報を表示している。また、撮影手技情報表示領域８０２は、撮影手技情報表示領域８０１と同等の構成で撮影手技の情報を表示している。時間軸８０３は撮影を行う放射線の曝射の期間を規定するためのスライダーであり、一方の端に放射線の曝射の開始の前の時間が表示され、他方の端に放射線の曝射の開始からの時間が表示されて、放射線の曝射の期間を規定している。図８（Ａ）では一方の端が−１０秒を、他方の端が７０秒を示しており、曝射の期間が６０秒であることを示している。第１図形８０４、第２図形８０５、第３図形８０６はそれぞれ、以下に述べる造影手順（例えば血管造影手順）に関しての撮影条件のタイミングを示している。第１図形８０４は放射線源１０８による放射線の曝射が開始されるタイミング（第１タイミング）を示すアイコンであり、時間軸８０３上で０秒を意味している。第２図形８０５は、演算部２０２の指示を受けた記憶部２００がマスク画像を保持するタイミング（第２タイミング）を示すためのアイコンである。第３図形８０６は、造影剤注入装置１０６による造影剤の注入を開始するタイミング（第３タイミング）を示すためのアイコンである。また、第２図形８０５や第３図形の下部にある数値は、放射線の曝射の期間のうち、どの時間でマスク画像を保持、造影剤の注入を開始するかを表している。図８（Ｂ）の上の図の例では、マスク画像を保持するタイミングは撮影を開始して２５秒後に行い、造影剤の注入を開始するタイミングは撮影を開始して５０秒後に行うことを示している。
【００２４】
第１図形８０４、第２図形８０５、及び、第３図形８０６は、撮影手技情報表示領域８０１の内側にこの順で、時間軸８０３に沿うように表示されている。なお、図８では例として間隔を時間で示している。そして、第２図形８０５及び第３図形８０６は、操作部１０４による表示部１０５の画像操作によって、時間軸８０３に沿って移動することが可能なように、表示されている。第２図形８０５の移動によってマスク画像を保持する第２タイミングが変更され、第３図形８０６の移動によって造影剤の注入を開始する第３タイミングが変更されるように、演算部２０２が演算処理を行い、演算結果を撮影制御部２０６に供給する。また図８の例では、第１図形８０４、第２図形８０５、第３図形８０６の並び順が変更されないように制御されており、時間軸８０３上をスライドする事でタイミングを変更する事ができる。撮影手技表示領域８０７は、撮影手技名６０１に該当する情報を表示している。撮影部位表示領域８０８は、撮影部位６０２に該当する情報を表示している。
【００２５】
次に、図９を図８の操作に当てはめて説明を行う。表示部１０５は、記憶部２００に保存されている画像操作情報記憶領域２０８と検査情報記憶領域２０９を元に、演算部２０２が演算した結果のＧＵＩである図７を表示する。図７の検査情報表示領域７０２には、図８（Ａ）が表示されているものとする。操作者は操作部１０４の入力から、第２図形８０５を時間軸８０３上で右にスライドさせることで、マスク画像取得タイミングを変更する（ステップＳ９００）。この際、演算部２０２は、検査情報記憶領域２０９の情報における検査を構成する撮影手技の中から撮影部位が同一のものが特定できるか否かを判定する。撮影部位が同一の場合、被検体Ｈに対し造影剤を注入してから撮影部位に到達するまでの時間が略同一（例えば１秒以下）となる。図８（Ａ）の例では、検査を構成する撮影手技として、撮影部位が同じ右前腕の撮影手技が特定されている（ステップＳ９０１のＹｅｓ）。この場合、撮影部位が同じ撮影手技であるため、処理はステップＳ９０２へ移る。
【００２６】
ステップＳ９０２では、演算部２０２は、画像操作情報記憶領域２０８と検査情報記憶領域２０９の情報をタイミング補正部２０５に供給し、タイミング補正部２０５は、供給された結果から演算した値を演算部２０２に供給する。演算部２０２は、画像操作情報記憶領域２０８と検査情報記憶領域２０９の情報とタイミング補正部２０５の結果から、撮影制御部２０６に演算結果を供給する。具体的には、演算部２０２は、撮影手技情報表示領域８０１に対応する撮影手技のマスク画像取得タイミングの変更差分と撮影手技情報表示領域８０２に対応する撮影手技のマスク取得タイミングをタイミング補正部２０５に供給する。タイミング補正部２０５は、供給された情報からタイミング補正値を計算し、演算部２０２に供給する。具体的には、タイミング補正値として、変更量である５秒をそのまま加算した値としている。演算部２０２は、タイミング補正部２０５から供給された情報を基に、表示制御部２０３と撮影制御部２０６に情報を供給する。その結果、図８（Ｂ）では、第２図形８０９の表示より撮影手技情報表示領域８０２に対応する撮影手技のマスク画像取得タイミングが、１３秒からタイミング補正部２０５で補正された値である１８秒になった事が分かる（ステップＳ９０２）。このことにより、１検査で複数の同じ撮影部位の撮影を行う際、同じ撮影部位のマスク画像取得タイミングを一度に変更する事が出来る。
【００２７】
なお、ステップＳ９０１において、演算部２０２は検査を構成する撮影手技の撮影部位の差異を基にタイミング補正を行うか否かを決定していたが、これに限定する必要はない。例えば撮影手技ごとに補正を行うか否かをあらかじめ決定しておいても良い。また、撮影手技３０１に造影剤の情報を付帯させ、造影剤の情報を基にタイミング補正を行うか否かを決定しても良い。また、撮影手技３０１に造影剤注入装置の情報を付帯させ、造影剤注入装置の情報（例えば、注入箇所）を基にタイミング補正を行うか否かを決定しても良い。また、記憶部２００に患者の過去の撮影情報を保持し、撮影手技３０１に検査を受ける患者の過去の検査情報を付帯させ、記憶部２００の過去の撮影情報と撮影手技３０１に付帯する患者の撮影情報を基にタイミング補正を行うか否かを決定しても良い。
【００２８】
また、ステップＳ９０１において、演算部２０２は、被検体Ｈに対して造影剤を注入してから撮影部位に到達するまでの時間がだいたい同一の（例えば１秒以下）撮影手技を特定できるか否かを判定してもよい。この場合、演算部２０２は、複数の撮影手技の付帯情報（フラグや到達時間そのもの）に基づいて、撮影手技を特定できるか否かを判定してもよい。なお、造影剤の到達時間は被検体の大きさ（体格）によって変わるため、同一の被検体についての複数の撮影手技が対象とされるものとする。演算部２０２は、予め、撮影手技の情報に関連付られた被検体の大きさの情報（子ども／大人、身長の値、体重の値、やせ・通常・太め）に基づいて、同一とみなした被検体についての撮影手技を対象としてもよい。
【００２９】
また、ステップＳ９０２において、タイミング補正部２０５は操作者が元の設定値からの変更量をそのまま補正値としているが、これに限定する必要はない。例えば撮影手技ごとに異なる係数を加味して補正をしても良い。また、ステップＳ９０２において、マスク画像取得タイミングのみを補正していたが、これに限定する必要はない。例えば、マスク画像取得タイミングを補正した結果、造影剤注入タイミングよりも後になる場合、マスク画像取得タイミングが造影剤注入タイミングよりも後にならない様に、同様に造影剤注入タイミングを補正しても良い。また、ステップＳ９００、ステップＳ９０１、ステップＳ９０２において、タイミング補正を行う対象が、操作者が変更したマスク画像取得タイミングであったが、これに限定する必要はない。例えば、操作者が操作部１０４の入力から、第３図形８０６を変更する事で、造影剤が注入されるタイミングを補正しても良い。
【００３０】
（第２実施形態）
第２実施形態を、第１実施形態と異なる部分について、図１０と図１１を用いて説明する。図１０は、本実施形態による検査情報表示領域７０２を説明する図であり、図１１は、本実施形態の動作を示すフローチャートである。まず、図１０について説明を行う。図１０と図８で表示されている番号で重複する番号は同じものであり、説明は省略する。図１０（Ａ）の検査情報表示領域８００はマスク画像取得タイミング変更前の検査情報表示領域７０２を表し、図１０（Ｂ）の検査情報表示領域８００はマスク画像取得タイミング変更後の検査情報表示領域７０２を表している。時間軸１０００は、撮影を行う放射線の曝射の期間を規定するためのスライダーであり、一方の端に放射線の曝射の開始の前の時間が表示され、他方の端に放射線の曝射の開始からの時間が表示されて、放射線の曝射の期間を規定している。また、時間軸１０００は、撮影手技を構成する撮影情報である撮影シーケンス順番を表示している。図１０（Ａ）及び（Ｂ）の上の図の例では、時間軸１０００は、撮影は１５ｆｐｓから開始し、順に１０ｆｐｓ、５ｆｐｓ、２０ｆｐｓというシーケンスを辿る事を示している。
【００３１】
次に、図１１を図１０の操作に当てはめて説明を行う。図１０は図８と同等の構成であるため詳細は省略する。操作者は操作部１０４の入力から、第２図形８０５を時間軸１０００上で右にスライドさせることで、マスク画像取得タイミングを変更する（ステップＳ１１００）。演算部２０２は、画像操作情報記憶領域２０８と検査情報記憶領域２０９の情報をタイミング補正部２０５に供給し、タイミング補正部２０５は、供給された結果から演算したタイミング補正値を演算部２０２に供給する。演算部２０２は供給されたタイミング補正値を基に、撮影手技情報表示領域８０２に対応する撮影手技のマスク画像取得タイミングを補正した場合、マスク画像取得タイミングが行われるフレームレートを変更されないか否かを判定する（ステップＳ１１０１）。なお、演算部２０２は、撮影手技情報表示領域８０２に対応する撮影手技のマスク画像取得タイミングをフレームレートが変更されない範囲で補正可能かを判断することもできる。撮影手技情報表示領域８０２に対応する撮影手技のマスク画像取得タイミングを補正してもマスク画像取得タイミングが行われるフレームレートが変更されない場合（ステップＳ１１０１のＹｅｓ）、供給された値を基にマスク画像取得タイミングを補正する（ステップＳ１１０２）。また、操作者が操作部１０４の入力によりマスク画像取得タイミングが行われるフレームレートが変更される場合は（ステップＳ１１０１のＮｏ）、ステップＳ１１００から処理が再度開始される。図１１（Ｂ）では、第２図形８０５を操作して撮影手技情報表示領域８０１に対応する撮影手技のマスク画像取得タイミングを１０秒変更しているが、撮影手技情報表示領域８０２に対応する撮影手技のマスク画像取得タイミングはフレームレートが変更されない範囲で３秒補正しているのみである。このことにより、マスク画像取得タイミングを補正しても、同じフレームレート内でマスク画像を取得する事が出来る。
【００３２】
また、ステップＳ１１０１において、演算部２０２はマスク画像取得タイミングが行われるフレームレートを基にタイミング補正を行うか否かを決定したが、これに限定する必要はない。例えば、マスク画像取得タイミングを補正した結果、造影剤注入タイミングよりも後になる場合としても良い。また、マスク画像取得タイミングを補正した結果、あらかじめ決めておいた任意のフレームレートになる場合としても良い。また、マスク画像取得タイミングの補正が出来なくなった場合を条件とし、それ以降はマスク画像取得タイミングを変更してもタイミング補正をしないとしても良い。また、撮影画面７００にタイミング補正を行うか否かを切り替えるＧＵＩを追加し、その切り替えによりタイミング補正を行うか否かとしても良い。
【００３３】
また、ステップＳ１１０１において、演算部２０２はタイミング補正部から供給された値を基にマスク画像取得タイミングを補正したが、これに限定する必要はない。例えば、マスク画像取得タイミングを補正した結果、造影剤注入タイミングよりも後になる場合は、マスク画像取得タイミングを初期値に補正するとしても良い。
【００３４】
また、ステップＳ１１０２において、タイミング補正部２０５は操作者が元の設定値からの変更量をそのまま補正値としているが、これに限定する必要はない。例えば撮影手技ごとに異なる係数を加味して補正をしても良い。また、ステップＳ１１００、ステップＳ１１０１、ステップＳ１１０２において、タイミング補正を行う対象が、操作者が変更したマスク画像取得タイミングであったが、これに限定する必要はない。例えば、操作者が操作部１０４の入力から、第３図形８０６を変更する事で、造影剤が注入されるタイミングを補正しても良い。
【００３５】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３６】
１００  撮影制御装置、１０１  制御部、１０２  入出力部、１０３  画像処理部、１０４  操作部、１０５  表示部、  １０６  造影剤注入装置、１０７  放射線制御装置、１０８  放射線源、１０９  放射線撮像装置、Ｈ  被検体、２０１  入力検出部、２０２  演算部、２０３  表示制御部、２０４  注入装置制御部、２０５  タイミング補正部、２０６  撮影制御部、２０７  撮影画像記憶領域、２０８  画像操作情報記憶領域、２０９  検査情報記憶領域、８０１、８０２  撮影手技情報表示領域、８０３  時間軸、８０４第１図形、８０５、８０９  第２図形、８０６  第３図形、８０７  撮影手技表示領域、８０８  撮影部位表示領域
【図１】
2015188692.tif 000003
【図２】
2015188692.tif 000004
【図３】
2015188692.tif 000005
【図４】
2015188692.tif 000006
【図５】
2015188692.tif 000007
【図６】
2015188692.tif 000008
【図７】
2015188692.tif 000009
【図８】
2015188692.tif 000010
【図９】
2015188692.tif 000011
【図１０】
2015188692.tif 000012
【図１１】
2015188692.tif 000013